(57)【要約】本発明では、記録可能な光ディスクには、相変化材料の記録レイヤにおいてエンボスされた螺旋トラック又は環状トラックのワインディングが設けられ、隣接するワインディングの間に位置されるエンボスされたアドレス／タイミング情報が設けられる。ユーザデータは、ディスクでの記録のために受信される。データは、ディスクからアドレスを読み取る間、高いディスク速度で相変化材料の異なる相のマークを形成するため、ワインディングをスキャニングするレーザビームを制御することで書き込まれる。書込みは、書込み品質を改善するため、書込みパラメータを較正するために中断される。較正後、書込みが中断された直前の位置にジャンプし、ディスクから読み取られるアドレスに依存して現在の位置を決定し、書込みが中断された位置にトラッキングすることで、リンキングが実行される。高いディスク速度でのリンキングの間にディスクからのアドレス情報を読み取ることにおいてエラーが生じたとき、ディスク速度は、低いディスク速度に低減され、リンキングは、低いディスク速度で実行される。成功したリンキングの後、ユーザデータの書込みは低いディスク速度で続くか、ディスク速度は増加し、書込みは、高いディスク速度で続く。
2009500778.tif 000002
【特許請求の範囲】
【請求項１】
ユーザデータを受ける入力と、
光ディスクを保持し、回転するターンテーブルと、
放射線ビームを発生するレーザと、
ディスクが回転するとき、前記ビームで前記光ディスクをスキャニングするため、ディスクに向かって前記ビームを向けるレンズシステムをもつ光学ヘッドと、
回転するディスクの記録レイヤの予め定義された螺旋又は環状のワインディングに追従するため、ディスクに向けられるビームに関して光学ヘッドの横方向の位置を制御し、ワインディングのスポットにビームをフォーカスするため、ディスクに向けられるビームに関して光学ヘッドの軸方向の位置を制御するヘッドサーボと、
光ディスクの記録レイヤのスポットからビームが反射された後、ビームを電気的な読取り信号に変換する光検出器と、
ワインディングにユーザデータを書き込むためにレーザを制御するために構成されるコントローラとを有し、
前記コントローラは、書込み品質を改善するため、ドライブのパラメータを較正するために書込みを中断し、前記コントローラは、書込みが中断された直前の位置にヘッドを移動し、読取り信号から決定されたアドレスに依存してワインディングのスポットの現在の位置を決定するためにヘッドサーボを制御し、読取り信号から高速でアドレスを決定できないとき、高速から低速に回転のディスク速度を低減するためにターンテーブルを制御する、
ことを特徴とする光ディスクレコーダ。
【請求項２】
低速でアドレスを決定した後、前記コントローラは、ユーザデータの継続された書込みのために高速にディスクの速度を増加する、
請求項１記載の光ディスクレコーダ。
【請求項３】
光学的に記録されたディスクを製造する方法であって、
相変化材料の記録レイヤにおけるエンボスされた螺旋トラック又は環状トラックのワインディングと、隣接するワインディングの間のエンボスされたアドレス／タイミング情報とをもつ記録可能な光ディスクを提供するステップと、
ディスクでの記録のためにユーザデータを受信するステップと、
ディスクからアドレスを読み取る間、高いディスク速度で相変化材料の異なる相のマークを形成するため、ワインディングをスキャニングするレーザビームを制御することでデータを書き込むステップと、
書込み品質を改善するため、書込みパラメータを較正するために書き込みを中断するステップと、
書込みが中断された直前の位置にジャンプし、ディスクから読み取られるアドレスに依存して現在の位置を決定し、書込みが中断された位置にトラッキングすることで、リンキングを実行するステップと、
ディスクからのアドレス情報を読み取ることにおいてエラーが生じたとき、ディスク速度を低減するステップと、
アドレス情報を低いディスク速度で再び読み取るステップと、
アドレス情報は低いディスク速度で読み取ることができるとき、データをディスクに書き込むことを継続するステップと、
を含む方法。
【請求項４】
低速でのアドレスの読取り後、ディスク速度は、ユーザデータの継続された書込みのために高い速度に増加される、
請求項３記載の方法。
【発明の詳細な説明】
【技術分野】
【０００１】
本発明は、ＤＶＤのような書込み可能な光メディアディスクにユーザデータを記録する分野に関する。
【背景技術】
【０００２】
たとえば、書込み品質を改善するようにドライブのパラメータを較正するため、かかる書込み可能な光メディアのレコーダでは、ユーザデータの書込みが偶然割り込まれる。書込みを再開するため、レコーダは、リンキングとして知られるプロセスを使用する。リンキングにおいて、スキャニングは、書込みが割り込まれる直前の位置にジャンプし、レコーダは、ＤＶＤのレーザスポットの正確な現在の位置を決定するためにアドレスを読み取り、次いで、レコーダは、書込みが割り込まれた位置にトラックし、ユーザデータの書込みを再開する。
【０００３】
レコーダがリンキングの間にアドレスを読み取る場合、リンキングが成功するか、又はリンキングの失敗と呼ばれるタイムアウト又はリピートリミットに到達するまで、リンキングは繰り返される。リンキングの失敗が生じたとき、記録がキャンセルされ、破壊されたディスクとなる。
【０００４】
ＤＶＤ−の実現（すなわちＤＶＤ−Ｒ、ＤＶＤ−ＲＷ）では、タイミング及びアドレス情報は、トラック間に位置されるエンボスされたＬＰＰ（ランドプレピット）によりディスク製造の間に提供される。リンキングの間、ＬＰＰを読むことでアドレスは決定されるが、ＬＰＰ信号は、特にディスクの外側の近くにある書込み領域と非書込み領域の間で、高い書込み速度で読むことが困難である。
【０００５】
当業者は、以下の引例に向けられる。  
Ｓａｉｋｉ等による特許ＵＳ６４４２１１７は、記録されたユーザデータを更に確実に読み取るように、書込み／読取り速度を低速にすることが開示されている。  
Ｈａｓｅｇａｗａ等による刊行物ＵＳ２００３００７２２２９は、書込みエラーが生じたときにＣＤ−Ｒ／−ＲＷの書き込みを中断し、低減された書込み速度で書込みを再開することが開示されている。  
Ｓｕｇｉｙａｍａ等による特許ＥＰ１０１４３７３は、読取りエラーが生じたときにユーザ情報の読取り速度を低減することが開示されている。  
Ｈａｒｕｙａｓｕ等により特許ＥＰ１２２７４９１は、ＬＰＰの読取りにおけるトラブルを開示する。  
上記の引用は、背景技術の目的のための引用により全体として本明細書に盛り込まれる。
【発明の開示】
【課題を解決するための手段】
【０００６】
本発明では、リンキングの失敗が高いディスク速度で生じたとき、レコーダは、リンキングが更に確実となるようにディスク速度を低いディスク速度に低減する。したがって、リンキングの失敗は克服され、書込みが更に確実となる。
【０００７】
リンキングのディスク速度を低下させた後、レコーダは、継続される書込みのための高い速度にディスク速度を増加するか、レコーダは、低い速度が適切である場合に、低いディスク速度で書込みを続ける。
【０００８】
本発明は、全ての光ストレージ記録装置、特に、高い記録速度でリンキングする問題を有するが、低い速度でリンキングする問題のない装置に適用可能である。
【０００９】
本発明のこれらの態様及び他の態様は、以下の図面を参照して、以下の発明の詳細な説明から当業者にとって明らかである。
【発明を実施するための最良の形態】
【００１０】
図１では、フローチャート１００は、本発明に係る方法の特定の例を説明する。ステップ１０２では、記録可能な光ディスクには、相変化材料の記録レイヤにおいてエンボスされた螺旋トラック又は環状トラックのワインディングが設けられ、隣接するワインディングの間のエンボスされたアドレス／タイミング情報が設けられる。ステップ１０４では、ユーザデータは、ディスクでの記録のために受信される。ステップ１０６では、ワインディングからアドレスを読み取る間に、ユーザデータの一部は、高いディスク速度で書き込まれる。データは、マークを形成するように巻き線をスキャンするレーザビームのパワーを制御することで書き込まれる。マークは、相変化材料の異なる位相間の交互から構成され、異なる位相は、たとえば反射率といった異なる特性を有する。
【００１１】
ステップ１０８では、書込みは、書込み品質を改善するために、書込みパラメータを再較正するために割り込みされる。ステップ１１０では、スキャニングは、書込みが中断された直前のワインディングの位置にジャンプされる。ステップ１１２では、現在のスキャニングの位置を決定するため、アドレスは、ワインディングから読み取られる。ステップ１１４では、現在の位置を決定することができる場合、プロセスはステップ１１６に続き、ここで、ワインディングは、書込みが中断された位置にトラックされる。ステップ１１８では、ユーザデータの一部の書込みは、書込みが中断された位置から続く。任意のステップ１２０では、ディスク速度は、高い書込み速度で設定される。ステップ１２２では、更にユーザデータが存在する場合、プロセスはステップ１０６に続き、さもなければ、ユーザデータが全て書き込まれた場合、プロセスはステップ１２４に続き、ここでプロセスが終了される。
【００１２】
ステップ１１４では、ジャンプ後の現在の位置を決定することができない場合、ステップ１３０で予め決定されたタイムアウト又はリトライの閾値が到達されない場合、フローはステップ１１０に続き、さもなければ、タイムアウト又はリピートカウントが予め決定された閾値に到達した場合、フローはステップ１３２に続く。ステップ１３２では、ディスク速度が低減されない場合、ステップ１３０のタイムアウト又はリピートはリセットされ、フローはステップ１３４に続く。ステップ１３４では、ディスク速度は、現在の位置を決定する信頼性を増加するために低いディスク速度に低減され、プロセスはステップ１１０に続く。ステップ１３２では、ディスク速度が既に低減されている場合、ステップ１３６では、エラー信号が発生され、プロセスが終了する。
【００１３】
図２は、本発明の光ディスクレコーダ２００の特定の例を示す。入力２０２は、ユーザデータを受信する。データは、たとえば、ＭＰＥＧマルチメディアストリームとしてテキスト、オーディオ及び／又はビデオを含む。ターンテーブル２０４は、光ディスク２０６を保持及び回転する。レーザ２０８は、放射線ビームを生成する。光学ヘッド２１０は、ビームをフォーカスするレンズシステム２１２、ディスクが回転するときにビームでディスクをスキャニングするためディスクに向かって垂直方向にビームを向けるミラー２１４を有する。ヘッドサーボ２１６は、回転するディスクの記録レイヤの予め定義された螺旋又は環状のワインディングに追従するため、ディスクでのビームに関して光ヘッドの横方向の位置２１８を制御する。また、ヘッドサーボは、ワインディングのスポットにビームをフォーカスするため、ディスクのビームに関してレンズ２１２の軸方向の位置２２０を制御する。ヘッドサーボは、典型的に、独立して制御される多数のサーボシステムから構成される。
【００１４】
ビームは、光ディスクの記録レイヤにおけるワインディングのスポットから反射される。反射されたビームは、ビームスプリッタ２２４に向けられ、このビームスプリッタは、反射されたビームを光検出器２２６に向け、この光検出器は、反射されたビームを電気的な読取り信号に変換する。
【００１５】
読取り信号は、コントローラ２２８に経路制御され、このコントローラは、図１における本発明の方法に従って読取り信号に依存して、ターンテーブル２０４及びレーザ２０８及びヘッドサーボ２１６の動作を制御する。より詳細には、コントローラは、ユーザデータをワインディングに書き込むためにレーザを制御し、コントローラは、書込み品質を改善するため、ドライブのパラメータを較正するために書込みを中断する。較正の後、コントローラは、書込みが中断されたトラックの位置の直前にある位置にビームを移動するためにヘッドサーボを制御する。コントローラは、読取り信号から決定されたアドレスに依存してワインディングのスポットの現在の位置を決定する。しかし、アドレスが高い速度で読取り信号から決定できないとき、コントローラは、ターンテーブルを制御して、現在の位置を更に確実に決定するため高速から低速に回転のディスク速度を低減する。アドレスを低速で決定した後、コントローラは、ユーザデータの継続された書込みのための高い速度にディスク速度を増加する場合がある。
【００１６】
本発明は、特定の実施の形態を参照して記載されたが、多くのバリエーションは特許請求の範囲で述べたように本発明の精神及び範囲から逸脱することなしになされることを理解されたい。明細書及び図面は、例示的なやり方であると考えられ、特許請求の範囲を限定することが意図されない。
【００１７】
特許請求項の解釈において、単語「有する“ｃｏｍｐｒｉｓｉｎｇ”」は、所与の請求項で列挙された以外の他のエレメント又はステップの存在を排除するものではない。幾つかの「手段」は、同一アイテム、若しくはハードウェア又はソフトウェアで実現される構造又は機能により表される。開示されたエレメントの何れかは、（たとえばディスクリート及び集積回路を含む）ハードウェア部分、（たとえばコンピュータプログラミング）ソフトウェア部分、及びその組み合わせから構成される。ハードウェア部分は、アナログ及びデジタル部分の一方又は両方から構成される。本発明の開示された装置又は部分は、特に断りのない限り、互いに結合されるか、又は更なる部分に分離される場合がある。ステップの特定のシーケンスの順序は、特に断りのない限り、必要とされないことが意図される。
【図面の簡単な説明】
【００１８】
【図１】本発明の方法の特定の実施の形態を説明するフローチャートである。
【図２】レコーダの選択された関連する部分のみを示す本発明のレコーダの特定の実施の形態の概念図である。
【図１】
2009500778.tif 000003
【図２】
2009500778.tif 000004
【国際調査報告】
2009500778.tif 000005
2009500778.tif 000006
2009500778.tif 000007